【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報の表示画像を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記操作入力受付部で受け付けられた前記操作入力に対応して前記表示画像処理用情報生成回路で生成された前記表示画像処理用情報とを、前記接続インターフェースを通じて前記外部装置に出力可能に構成された第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部で受け付けられる操作入力の前記メモリに保持された筆記情報に対する適用を制限するように構成された第２のモードと
を備えていることを特徴とする手書き情報処理装置。
【請求項２】
入力面でのスタイラスの筆記操作を検出するスタイラス検出センサと、使用者による操作入力を受け付ける操作入力受付部と、前記スタイラス検出センサとのインタラクションで検出されたスタイラスの筆記操作に対応した筆記情報を表示画面に表示させるための画像表示処理を行うとともに前記操作入力受付部で受け付けられた前記操作入力に対応した表示画像操作を前記筆記情報の表示画像に適用する画像処理回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記操作入力受付部で受け付けられた前記操作入力に対応して前記画像処理回路によって前記スタイラス検出センサとのインタラクションによって検出された前記第１のスタイラスの前記入力面での筆記操作に対応した筆記情報を表示画面に表示させるための画像表示処理を行うとともに前記操作入力受付部での前記操作入力に対応した表示画像操作を前記筆記情報の表示画像に適用する第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部で受け付けられる操作入力の前記メモリに保持された筆記情報に対する適用を制限するように構成された第２のモードと
を備えていることを特徴とする手書き情報処理装置。
【請求項３】
前記操作入力受付部で受け付けられた前記操作入力に基づいた所定の処理は、前記表示画像に対する、拡大、縮小、回転、移動の中の少なくとも１つの画像操作処理を含むことを特徴とする請求項１又は請求項２に記載の手書き情報処理装置。
【請求項４】
前記第２のモードにおいて、前記スタイラス検出センサとのインタラクションによって検出された前記第２のスタイラスの前記入力面での筆記操作に対応した筆記情報は、前記操作入力受付部によって検出された、前記表示画像に対して所定の画像操作処理を施すための操作入力以外の操作入力に対応した所定の情報が付加されて前記メモリに保持されることを特徴とする請求項１又は請求項２に記載の手書き情報処理装置。
【請求項５】
前記メモリに保持された、前記第２のスタイラスの前記入力面での筆記操作に対応した筆記情報は複数のストローク情報から構成されており、前記ストローク情報には筆記順序を特定する情報が付加されていることを特徴とする請求項１又は請求項２に記載の手書き情報処理装置。
【請求項６】
前記第１のスタイラス及び前記第２のスタイラスの内の、少なくとも一方のスタイラスはスタイラス識別情報を送出する機能を備えており、前記スタイラス認識回路は、前記少なくとも一方のスタイラスからの前記スタイラス識別情報を認識することで、前記第１のスタイラスによる筆記操作か、前記第２のスタイラスによる筆記操作かを認識するように構成されていることを特徴とする請求項１又は請求項２に記載の手書き情報処理装置。
【請求項７】
前記第１のスタイラス及び前記第２のスタイラスは、それぞれ固有のスタイラス識別情報を送出する機能を備えており、前記スタイラス認識回路は、前記第１のスタイラスの前記スタイラス識別情報を認識したか、前記第２のスタイラスの前記スタイラス識別情報を認識したかにより、前記第１のスタイラスによる筆記操作か、前記第２のスタイラスによる筆記操作かを認識するように構成されていることを特徴とする請求項６に記載の手書き情報処理装置。
【請求項８】
前記第２のスタイラスは、前記スタイラス認識回路によって認識可能なスタイラス識別情報を送出するとともに、前記入力面での筆記操作に対応した筆記を視覚的に形成可能な芯体を備えており、前記第２のスタイラスの前記スタイラス識別情報に基づいて前記第２のモードが設定されるとともに、前記第２のスタイラスの前記芯体により前記入力面に載置された前記シート部材への視覚的な筆記操作が行われることを特徴とする請求項１又は請求項２に記載の手書き情報処理装置。
【請求項９】
前記操作入力受付部は、前記使用者の指タッチ操作を検出するタッチ検出センサを含んで構成されていることを特徴とする請求項１又は請求項２に記載の手書き情報処理装置。
【請求項１０】
前記第２のモードにおいては、前記表示画像に対する画像操作のための前記操作入力受付部による所定の操作入力を不能とすることを特徴とする請求項１又は請求項２に記載の手書き情報処理装置。
【請求項１１】
前記接続インターフェースは、前記外部装置と無線接続されるように構成されていることを特徴とする請求項１又は請求項２に記載の手書き情報処理装置。
【請求項１２】
前記第１のスタイラスと前記スタイラス検出センサとの間のインタラクションは、電磁誘導あるいは静電結合であることを特徴とする請求項１又は請求項２に記載の手書き情報処理装置。
【請求項１３】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報の表示画像を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置における手書き情報処理方法であって、
前記入力面での筆記操作が前記スタイラス検出センサとのインタラクションで検出される第１のスタイラスであるか、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスであるかを認識するスタイラス認識ステップと、
前記スタイラス認識ステップによって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記操作入力受付部で受け付けられた前記操作入力に対応して前記表示画像処理用情報生成回路で生成された前記表示画像処理用情報とを、前記接続インターフェースを通じて前記外部装置に出力可能に構成された第１の処理ステップと、
前記スタイラス識別ステップによって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部で受け付けられる操作入力の前記メモリに保持された筆記情報に対する適用を制限するように構成された第２の処理ステップと
を備えていることを特徴とする手書き情報処理方法。
【請求項１４】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報の表示画像を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置が備えるコンピュータに、
前記入力面での筆記操作が前記スタイラス検出センサとのインタラクションで検出される第１のスタイラスであるか、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスであるかを認識するスタイラス認識の処理と、
前記スタイラス認識処理によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記操作入力受付部で受け付けられた前記操作入力に対応して前記表示画像処理用情報生成回路で生成された前記表示画像処理用情報とを、前記接続インターフェースを通じて前記外部装置に出力可能に構成された第１の処理と、
前記スタイラス識別処理によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部で受け付けられる操作入力の前記メモリに保持された筆記情報に対する適用を制限するように構成された第２の処理と
を実行させるための手書き情報処理用プログラム。
【手続補正２】
【補正対象書類名】明細書
【補正対象項目名】０００９
【補正方法】変更
【補正の内容】
【０００９】
上記の課題を解決するために、請求項１に記載の発明においては、入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報の表示画像を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記操作入力受付部で受け付けられた前記操作入力に対応して前記表示画像処理用情報生成回路で生成された前記表示画像処理用情報とを、前記接続インターフェースを通じて前記外部装置に出力可能に構成された第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部で受け付けらる操作入力の前記メモリに保持された筆記情報に対する適用を制限するように構成された第２のモードと
を備えていることを特徴とする手書き情報処理装置。